(57)【特許請求の範囲】
【請求項１】
互いに対向する第１の発光面と、第２の発光面とを備え、前記第１の発光面および前記第２の発光面の間で反射させることにより光を導くとともに前記第１の発光面および前記第２の発光面からそれぞれ光を照射するように構成し、
前記第１の発光面には光を拡散するための第１の拡散面が、前記第２の発光面の一部には光を拡散するための第２の拡散面が、それぞれ形成されており、
前記第１の発光面の前記第２の拡散面に対向する領域から射出される光の発光量が、当該第２の拡散面によって拡散された光によって、前記第１の発光面の他の領域から射出される光の発光量よりも大きくなるように、前記第１の拡散面および前記第２の拡散面における光の拡散が調整されていることを特徴とする導光体。
【請求項２】
互いに対向する第１の発光面と、第２の発光面とを備え、前記第１の発光面および前記第２の発光面の間で反射させることにより光を導くとともに前記第１の発光面および前記第２の発光面からそれぞれ光を照射するように構成し、
前記第２の発光面の一部には光を拡散するための第２の拡散面が形成されており、
前記第１の発光面の前記第２の拡散面に対向する領域には光を拡散させない平滑面が、他の領域には光を拡散するための第１の拡散面が、それぞれ形成されており、
前記第１の発光面からの光の発光量が、前記第２の拡散面による光拡散に起因する光量増加と前記平滑面による光量減少とによって調整されていることを特徴とする導光体。
【請求項３】
互いに対向する第１の発光面と、第２の発光面とを備え、前記第１の発光面および前記第２の発光面の間で反射させることにより光を導くとともに前記第１の発光面および前記第２の発光面からそれぞれ光を照射するように構成し、
前記第１の発光面の一部には光を拡散するための第２の拡散面が、他の部分には光を拡散するための第１の拡散面が、それぞれ形成されており、
前記第１の発光面の前記第２の拡散面が形成された領域における光の発光量が、当該第２の拡散面によって拡散された光によって、前記第１の発光面の他の領域から射出される光の発光量よりも大きくなるように、かつ、前記第２の発光面からの発光量が、前記第１の拡散面によって拡散された光によって均一になるよう前記第１の拡散面および前記第２の拡散面における光の拡散が調整されていることを特徴とする導光体。
【請求項４】
前記第１の拡散面または前記第２の拡散面はプリズム面であることを特徴とする請求項１〜３のいずれか１項に記載の導光体。
【請求項５】
前記第１の拡散面または前記第２の拡散面はドット面であることを特徴とする請求項１〜４のいずれか１項に記載の導光体。
【請求項６】
前記第１の拡散面に対向する領域では前記第２の発光面が平面状とされていることを特徴とする請求項１〜５のいずれか１項に記載の導光体。
【請求項７】
請求項１〜６のいずれか１項に記載の導光体と、
前記導光体の前記第１の発光面または前記第２の発光面に沿って配置され、前記導光体からの光を反射する反射部材と、を備えることを特徴とする照明装置。
【請求項８】
前記第１の発光面の発光強度がほぼ均一になるように前記反射部材の反射率が設定されていることを特徴とする請求項７に記載の照明装置。
【請求項９】
前記第２の発光面の発光強度がほぼ均一になるように前記反射部材の反射率が設定されていることを特徴とする請求項８に記載の照明装置。
【請求項１０】
前記反射部材は前記第１の発光面および前記第２の発光面に沿ってそれぞれ設けられることを特徴とする請求項７〜９のいずれか１項に記載の照明装置。
【発明の詳細な説明】
【０００１】
【発明の属する技術分野】
本発明は、互いに対向する第１の発光面と、第２の発光面とを備え、第１の発光面および第２の発光面からそれぞれ光を照射するように構成された導光体に関する。
【０００２】
【従来の技術】
携帯型電話の端末装置として、折り畳みタイプのものが知られている。通常、折り曲げ部を挟んで下側に操作ボタンが、上側にディスプレイがそれぞれ設けられ、折り畳み時には操作ボタンの操作面およびディスプレイの表示面が互いに向き合って内部に収容されるように構成されている。このようなタイプの端末装置において、折り畳んだ状態のまま外側から視認できるディスプレイあるいは発光部を設ける機種も知られている。例えば、外表面に設けられたディスプレイの表示面に着信に関する情報等を表示することで、使用者は端末装置を開くまでもなく必要な情報を得ることが可能となる。
【０００３】
【発明が解決しようとする課題】
第２のディスプレイ（外表面に表示面があるディスプレイ）等を設けるに際して、具体的には第１のディスプレイ（折り畳み時に表示面が収容されるディスプレイ）の裏側に第２のディスプレイを配置することが考えられる。この場合、第１および第２のディスプレイをそれぞれ照明するバックライトが必要となる。
【０００４】
本発明は、互いに背面が向き合うように配置されたディスプレイ等を背面側から同時に照明することができる導光体および照明装置を提供することを目的とする。
【０００５】
【課題を解決するための手段】
本発明による導光体は、互いに対向する第１の発光面と、第２の発光面とを備え、第１の発光面および第２の発光面の間で反射させることにより光を導くとともに第１の発光面および第２の発光面からそれぞれ光を照射するように構成し、前記第１の発光面には光を拡散するための第１の拡散面が、前記第２の発光面の一部には光を拡散するための第２の拡散面が、それぞれ形成されており、前記第１の発光面の前記第２の拡散面に対向する領域から射出される光の発光量が、当該第２の拡散面によって拡散された光によって、前記第１の発光面の他の領域から射出される光の発光量よりも大きくなるように、前記第１の拡散面および前記第２の拡散面における光の拡散が調整されていることを特徴とする。
また、互いに対向する第１の発光面と、第２の発光面とを備え、前記第１の発光面および前記第２の発光面の間で反射させることにより光を導くとともに前記第１の発光面および前記第２の発光面からそれぞれ光を照射するように構成し、前記第２の発光面の一部には光を拡散するための第２の拡散面が形成されており、前記第１の発光面の前記第２の拡散面に対向する領域には光を拡散させない平滑面が、他の領域には光を拡散するための第１の拡散面が、それぞれ形成されており、前記第１の発光面からの光の発光量が、前記第２の拡散面による光拡散に起因する光量増加と前記平滑面による光量減少とによって調整されていることを特徴とする。
更に、互いに対向する第１の発光面と、第２の発光面とを備え、前記第１の発光面および前記第２の発光面の間で反射させることにより光を導くとともに前記第１の発光面および前記第２の発光面からそれぞれ光を照射するように構成し、前記第１の発光面の一部には光を拡散するための第２の拡散面が、他の部分には光を拡散するための第１の拡散面が、それぞれ形成されており、前記第１の発光面の前記第２の拡散面が形成された領域における光の発光量は、当該第２の拡散面によって拡散された光によって、前記第１の発光面の他の領域から射出される光の発光量よりも大きくなるように、かつ、前記第２の発光面からの発光量が、前記第１の拡散面によって拡散された光によって均一になるよう前記第１の拡散面および前記第２の拡散面における光の拡散が調整されていることを特徴とする。
【０００６】
この導光体によれば、第１の発光面および第２の発光面の間で反射することにより導かれた光は、第１の発光面および第２の発光面を介して導光体の外側に射出される。したがって、１つの導光体により導光体の両側に同時に光を照射することができる。
【０００８】
また、第１の発光面および第２の発光面の間で反射することにより導かれた光は、第１の拡散面により拡散されて第１の発光面あるいは第２の発光面を介して導光体の外側に射出されるとともに、第２の拡散面により拡散されて第１の発光面あるいは第２の発光面を介して導光体の外側に射出される。したがって、１つの導光体により導光体の両側に同時に光を照射することができる。また、第１の発光面および第２の発光面からの射出光は、それぞれ第１の拡散面および第２の拡散面の両者における拡散の影響を受けるため、第１の拡散面および第２の拡散面における光の拡散をそれぞれ独立して調整することにより、第１の発光面および第２の発光面からの射出光の強さや均一性等の特性を自由に制御することが可能となる。
【０００９】
第１の拡散面または第２の拡散面はプリズム面であってもよい。
【００１０】
第１の拡散面または第２の拡散面はドット面であってもよい。
【００１１】
第１の拡散面に対向する領域では第２の発光面が平面状とされていてもよい。
【００１２】
本発明による照明装置は、請求項１〜６のいずれか１項に記載の導光体と、導光体の第１の発光面または第２の発光面に沿って配置され、導光体からの光を反射する反射部材と、を備えることを特徴とする。
【００１３】
この照明装置によれば、第１の発光面および第２の発光面の間で反射することにより導かれた光は、第１の拡散面により拡散されて第１の発光面あるいは第２の発光面を介して導光体の外側に射出されるとともに、第２の拡散面により拡散されて第１の発光面あるいは第２の発光面を介して導光体の外側に射出される。したがって、１つの導光体により導光体の両側に同時に光を照射することができる。また、第１の発光面および第２の発光面からの射出光は、それぞれ第１の拡散面および第２の拡散面の両者における拡散の影響を受けるため、第１の拡散面および第２の拡散面における光の拡散をそれぞれ独立して調整することにより、第１の発光面および第２の発光面からの射出光の強さや均一性等の特性を自由に制御することが可能となる。
【００１４】
ここで、反射部材は領域に応じて反射率が異なっていてもよい。例えば、第１の発光面の発光強度がほぼ均一になるように反射部材の反射率が設定されていてもよい。また、第２の発光面の発光強度がほぼ均一になるように反射部材の反射率が設定されていてもよい。この場合には、第１の発光面あるいは第２の発光面から均一な照明光を得ることができる。
【００１５】
反射部材は第１の発光面および第２の発光面に沿ってそれぞれ設けられてもよい。この場合には、第１の発光面および第２の発光面から射出される光の強度を制御することができる。
【００１６】
【発明の実施の形態】
−第１の実施形態−
以下、図１〜図４を参照して、本発明による導光体の第１の実施形態について説明する。図１は第１の実施形態の導光体を用いた照明装置を示す斜視図、図２は第１の実施形態の導光体を用いた照明装置を示す断面図、図３はドット面の構成を示す図である。
【００１７】
図１および図２に示すように、第１の実施形態の導光体１０は、ドット面１１が形成された第１の発光面１０Ａと、プリズム面１２が形成された第２の発光面１０Ｂとを備える。また、導光体１０の一端部には端面に沿って棒状（あるいは線状）の光源２０が取り付けられている。
【００１８】
図２に示すように、プリズム面１２は、その断面が光源２０の側の辺が長い鋸歯形状となる形状に形成されている。また、ドット面１１にはプリズム面１２よりも細かいピッチで溝が形成されている。ドット面１１の溝として、図３（ａ）に示すように多数の細かい溝が平行に設けられてもよいし、図３（ｂ）に示すように多数の細かい溝が格子状に設けられてもよい。あるいは多数の小さい凹凸を設けてもよい。
【００１９】
なお、図１〜図３ではプリズム面１２およびドット面１１は模式的に描かれており、凹凸ないし溝の個数は実際のものと異なる。
【００２０】
次に、導光体１０の作用について説明する。図２において導光体１０の右端部に配置された光源２０からの光は、導光体１０の内部を反射しながら左方に進行する。この光の一部は第１の発光面１０Ａに形成されたドット面１１により乱反射される。乱反射光の一部は第１の発光面１０Ａから図２において下方に向けて射出される。また、乱反射光の他の一部は図２において上方向に向かい、第２の発光面１０Ｂから射出される。
【００２１】
なお、ドット面１１で乱反射された光は、第２の発光面１０Ｂのうちプリズム面１２が形成されていない領域のみならず、プリズム面１２が形成された領域からも射出される。
【００２２】
一方、導光体１０の内部を通ってプリズム面１２に到達した光の一部は、プリズム面１２により図２において下向きに反射され、第１の発光面１０Ａのプリズム面１２に対向する領域から射出される。従って、図１および図２に示す構成においては、プリズム面１２が形成された領域において第１の発光面１０Ａからの発光量が他の領域よりも強くなる。
【００２３】
このように、導光体１０は光源２０からの光を第１の発光面１０Ａおよび第２の発光面１０Ｂの間で反射させて導くとともに、その光を第１の発光面１０Ａおよび第２の発光面１０Ｂの両者から射出させる。
【００２４】
そして、第１の発光面１０Ａおよび第２の発光面１０Ｂに対向する位置に図示せぬ透過型液晶素子あるいは半透過型液晶素子をそれぞれ配置することにより液晶表示装置を構成する。この液晶表示装置において、第１の発光面１０Ａおよび第２の発光面１０Ｂより発する光が対向する透過型あるいは半透過型液晶素子にそれぞれ照射され、この光が該液晶素子を透過あるいは半透過することにより所定の表示がなされる。つまり、導光体１０は光源２０とともに、透過型あるいは半透過型液晶素子におけるバックライトのための照明装置となるものである。
【００２５】
なお、このような照明装置は、例えば前述のような折り畳みタイプの携帯型電話において、折り畳み時に操作面と向き合う側に設けられたディスプレイと、外表面に設けられたディスプレイをそれぞれ液晶素子で構成した場合のバックライトとして用いられる。その他、このような照明装置は、各種フラットディスプレイのバックライトや、装飾的な、あるいは何らかの情報を提示するための発光部の照明として使用することができる。以下の各実施形態においても同様である。
【００２６】
第１の実施形態において、図４に示すように、第１の発光面１０Ａの全体にドット面１１を形成せず、プリズム面１２と対向する位置に平滑面１５を設けてもよい。この場合、平滑面１５における光の拡散がないため、この領域において第１の発光面１０Ａでの光拡散に起因する光量が減少する。このため、ドット面１１およびプリズム面１２における光拡散を制御することにより、プリズム面１２による光量増加と平滑面１５による光量減少とを相殺させ、第１の発光面１０Ａからの発光量を均一にすることも可能となる。
【００２７】
−第２の実施形態−
以下、図５を参照して、本発明による導光体の第２の実施形態について説明する。図５は第２の実施形態の導光体を用いた照明装置を示す斜視図である。
【００２８】
図５に示すように、第２の実施形態の導光体１１０は、ドット面１１１が形成された第１の発光面１１０Ａと、拡散面１１３が形成された第２の発光面１１０Ｂとを備える。拡散面１１３はサンドブラスト等によって形成することができる。また、導光体１１０の一端部には端面に沿って棒状（あるいは線状）の光源２１が取り付けられている。
【００２９】
拡散面１１３では第１の発光面１１０Ａに細かい凹凸が形成されており、この凹凸により光を拡散するようにしている。ドット面１１１は、第１の実施形態におけるドット面１１と同様、多数の細かい溝が平行に設けられてもよいし、多数の細かい溝が格子状に設けられてもよい。あるいは多数の小さい凹凸を設けてもよい。なお、図５ではドット面１１１は模式的に描かれており、凹凸の個数は実際のものと異なる。
【００３０】
次に、導光体１１０の作用について説明する。導光体１１０の端部に配置された光源２１からの光は、導光体１１０の内部を反射しながら図５における手前側方向に進行する。この光の一部は第１の発光面１１０Ａに形成されたドット面１１１により乱反射される。乱反射光の一部は第１の発光面１１０Ａから下方に向けて射出される。また、乱反射光の他の一部は上方向に向かい、第２の発光面１１０Ｂから射出される。
【００３１】
なお、ドット面１１１で乱反射された光は、第２の発光面１１０Ｂのうち拡散面１１３が形成されていない領域のみならず、拡散面１１３が形成された領域からも射出される。
【００３２】
一方、導光体１１０の内部を通って拡散面１１３に到達した光の一部は、拡散面１１３により乱反射される。乱反射光の一部は拡散面１１３から上向きに射出される。また、乱反射光の他の一部は第１の発光面１１０Ａに向かい、第１の発光面１１０Ａの拡散面１１３に対向する領域から射出される。従って、図５に示す構成においては、拡散面１１３が形成された領域において第１の発光面１１０Ａおよび第２の発光面１１０Ｂからの発光量が他の領域よりも強くなる。
【００３３】
このように、導光体１１０は光源２１からの光を第１の発光面１１０Ａおよび第２の発光面１１０Ｂの間で反射させて導くとともに、その光を第１の発光面１１０Ａおよび第２の発光面１１０Ｂの両者から射出させる。
【００３４】
そして、第１の発光面１１０Ａおよび第２の発光面１１０Ｂに対向する位置に図示せぬ透過型液晶素子あるいは半透過型液晶素子をそれぞれ配置することにより液晶表示装置を構成する。この液晶表示装置において、第１の発光面１１０Ａおよび第２の発光面１１０Ｂより発する光が対向する透過型あるいは半透過型液晶素子にそれぞれ照射され、この光が該液晶素子を透過あるいは半透過することにより所定の表示がなされる。つまり、導光体１１０は光源２１とともに、透過型あるいは半透過型液晶素子におけるバックライトのための照明装置となるものである。
【００３５】
第２の実施形態において、第１の発光面１１０Ａの全体にドット面１１１を形成せず、拡散面１１０と対向する領域に平滑面を設けてもよい。この場合、平滑面における光の拡散がないため、この領域において第１の発光面１１０Ａでの光拡散に起因する光量が減少する。このため、ドット面１１１および拡散面１１３における光拡散を制御することにより、拡散面１１３による光量増加と平滑面による光量減少とを相殺させ、第１の発光面１１０Ａあるいは第２の発光面１１０Ｂからの発光量を均一にすることも可能となる。
【００３６】
図５に示す構成においても、第１の発光面１１０Ａおよび第２の発光面１１０Ｂと対向する位置に透過型あるいは半透過型液晶素子等を配置することにより、導光体１１０および光源２１をバックライトとして使用することができる。
【００３７】
図５では、拡散面１１３を第２の発光面１１０Ｂに形成する場合を示したが、拡散面１１３の領域において第２の発光面１１０Ｂを平滑に形成し、同一領域（対向する領域）における第１の発光面１１０Ａに拡散面を形成してもよい。この場合には、比較的粗い凹凸が形成されたドット面１１０の表面に、より細かい凹凸からなる拡散面が形成されることになる。このような拡散面は、予め形成されたドット面１１１にサンドブラストを施す方法等を用いて形成できる。ドット面１１０の表面に拡散面を形成した場合には、拡散面を形成した領域で光の拡散する比率が増大するため、第１の発光面１１０Ａおよび第２の発光面１１０Ｂの両者における輝度が上昇する。したがって、拡散面が図５の場合と同様に機能することになる。また、第１の発光面１１０Ａおよび第２の発光面１１０Ｂの両方に拡散面を形成してもよい。すなわち、拡散面１１３と同一領域において、第２の発光面１１０Ｂにも拡散面を形成してもよい。
【００３８】
これらのいずれの場合においても、拡散面が図５に示す拡散面１１３と同様に機能し、同様の効果を得ることができる。
【００３９】
−第３の実施形態−
以下、図６を参照して、本発明による導光体の第３の実施形態について説明する。図６（ａ）は第３の実施形態の導光体を用いた照明装置を示す分解斜視図である。
【００４０】
図６（ａ）に示すように、この照明装置は第３の実施形態の導光体２１０と、導光体２１０に沿って配置された反射フィルム２３０とを備える。
【００４１】
第３の実施形態の導光体２１０は、ドット面２１１が形成された第１の発光面２１０Ａと、拡散面２１３が形成された第２の発光面２１０Ｂとを備える。拡散面２１３はサンドブラスト等によって形成することができる。導光体２１０の一端部には端面に沿って棒状（あるいは線状）の光源２２が取り付けられている。ドット面２１１および拡散面２１３は、それぞれ第２の実施形態におけるドット面１１１および拡散面１１３と同様の形状を有する。
【００４２】
反射フィルム２３０は、導光体２１０の第２の発光面２１０Ｂに沿って配置される。反射フィルム２３０には微細な孔が形成されており、孔による単位面積当たりの開口面積が光源２２から離れるにつれて大きくされている。このような開口面積の変化により反射フィルム２３０の反射率に勾配を与え、第２の発光面２１１の照明の明るさを均一にしている。開口面積は、例えば個々の孔の面積あるいは孔の密度（単位面積当たりの数）を変化させることによって、変化させることができる。
【００４３】
次に、導光体２１０の作用について説明する。導光体２１０の端部に配置された光源２２からの光は、導光体２１０の内部を反射しながら図６（ａ）における手前側方向に進行する。この光の一部は第１の発光面２１０Ａに形成されたドット面２１１により乱反射される。乱反射光の一部は第１の発光面２１０Ａから図６（ａ）において下方に向けて射出される。射出された光の一部は反射フィルム２３０により反射され、残りは反射フィルム２３０を通過して下方に向けて射出される。また、乱反射光の他の一部は図６（ａ）において上方向に向かい、第２の発光面２１０Ｂから射出される。
【００４４】
拡散面２１３に到達した光は拡散面２１３において乱反射され、乱反射光の一部は第２の発光面２１０Ｂから射出され、乱反射光の他の一部は第１の発光面２１０Ａに向かい、第１の発光面２１０Ａから射出される。このため、拡散面２１３が形成された領域では、第１の発光面２１０Ａおよび第２の発光面２１０Ｂのいずれについても、平滑面となっている他の領域に比較し強く発光する。
【００４５】
このように、導光体２１０は光源２２からの光を第１の発光面２１０Ａおよび第２の発光面２１０Ｂの両面から射出させるように光を導く。また、上記のように反射フィルム２３０の反射率は光源２２から離れるにつれて小さくされているため、反射フィルム２３０が光源２２から離れることによる光量の低下を補うように作用する。このため、反射フィルム２３０を介して第１の発光面２１０Ａから射出される光量の均一化を図ることができる。
【００４６】
図６（ａ）に示す構成においても、反射フィルム２３０を介在して第１の発光面２１０Ａ側に透過型あるいは半透過型液晶表示素子等を配置させるとともに、第２の発光面２１０Ｂ側に透過型あるいは半透過型液晶表示装置等を配置させることにより、導光体２１０および光源２２等をバックライトとして使用した液晶表示装置等を構成することができる。
【００４７】
図６（ａ）に示すように、拡散面２１３を光源２２の近くに設ける場合には、拡散面２１３の領域における反射フィルム２３０の反射率がより高くなる。このため、拡散面２１３から第１の発光面２１０Ａを経由して反射フィルム２３０に到達した光のうち、反射フィルム２３０で反射される光の比率が高くなる。したがって、第２の発光面２１０Ｂから射出される光の光量をより増大させることができる。
【００４８】
第２の実施形態と同様、拡散面を拡散面２１３と同一領域において第１の発光面１１０Ａに形成してもよいし、第１の発光面１１０Ａおよび第２の発光面１１０Ｂの両者に拡散面を形成してもよい。
【００４９】
また、図６（ｂ）に示すように、反射率がほぼ１００パーセントの反射フィルム２３１を、第１の発光面２１０Ａに形成された拡散面２１３Ａを避けるように設けてもよい。この場合、拡散面２１３Ａの領域における光拡散による光量の増大と、反射フィルム２３１の領域における反射光による光量の増大とが等しくなるように構成することにより、第２の発光面２１０Ｂから射出される光の光量を一定にすることができる。なお、図６（ｂ）における拡散面２１３Ａの代わりに、第２の発光面２１０Ｂの同一領域に拡散面を形成してもよい。あるいは、第１の発光面２１０Ａおよび第２の発光面２１０Ｂの両面に拡散面を形成してもよい。
【００５０】
なお、図６では第２の発光面２１０Ｂに拡散面２１３を形成する例について説明したが、拡散面２１３に代えて、第１の実施形態等に示したようなプリズム面やドット面を形成してもよい。
【００５１】
−第４の実施形態−
以下、図７および図８を参照して、本発明による導光体の第４の実施形態について説明する。図７（ａ）は第４の実施形態の導光体を用いた照明装置を示す分解斜視図、図７（ｂ）は第４の実施形態の導光体を示す斜視図、図８は第４の実施形態の導光体を用いた照明装置を示す断面図である。
【００５２】
図７および図８に示すように、この照明装置は導光体３１０と、導光体３１０の第１の発光面３１０Ａに沿って配置される反射フィルム３３０と、導光体３１０の第２の発光面３１０Ｂに沿って配置される透過フィルム３４０とを備える。
【００５３】
第４の実施形態の導光体３１０は、ドット面３１１が形成された第１の発光面３１０Ａと、プリズム面３１２が形成された第２の発光面３１０Ｂとを備える。また、導光体３１０の一端部には端面に沿って棒状の光源２３が取り付けられている。
【００５４】
図８に示すように、プリズム面３１２は光源２３の側の辺が長い鋸歯形状に形成されている。また、ドット面３１１にはプリズム面３１２よりも細かいピッチで溝が形成されている。ドット面３１１の溝として、多数の細かい溝が平行に設けられてもよいし（図３（ａ）参照）、多数の細かい溝が格子状に設けられてもよい（図３（ｂ）参照）。なお、図７および図８では、プリズム面３１２およびドット面３１１は模式的に描かれており、凹凸ないし溝の個数は実際のものと異なる。
【００５５】
反射フィルム３３０は導光体３１０から射出された光を導光体３１０の方向へ反射する材料により形成される。図７（ａ）および図８に示すように、反射フィルム３３０には光を透過する透過部３３１が形成されている。透過部３３１の位置は図８において下方に向けて光を照射すべき位置に合わせて設定される。
【００５６】
透過フィルム３４０には、多数の印刷ドット３４１が配置されたドット部３４２が形成されている。印刷ドット３４１は反射性の材料で形成され、ドット部３４２には印刷ドット３４１の面積比率に応じた反射率が与えられる。導光体３１０から射出された光の一部はドット部３４２において反射されて導光体３１０へ戻り、残りの光はドット部３４２を通過して図８において上方に向けて射出される。したがって、ドット部３４２の反射率は、導光体３１０の両面から射出されるそれぞれの光の強度を制御することになる。
【００５７】
ドット部３４２における印刷ドット３４１の面積比率を位置に応じて変化させることもできる。例えば、ドット部３４２から図８において上方に向けて照射される光の強度が均一となるように、光源２３から離れるに従って印刷ドット３４１の面積比率が小さくなるように構成してもよい。また、透過部３３１を介して図８において下方に向けて照射される光の強度が均一となるように、光源２３から離れるに従って印刷ドット３４１の面積比率が大きくなるように構成してもよい。
【００５８】
第４の実施形態では、図８において、導光体３１０からプリズム面３１２にて反射されて下方に射出された光が反射フィルム３３０により再び反射され、導光体３１０および透過フィルム３４０を介して上向きに照射される。また、第１の発光面３１０Ａに形成されたドット面３１１で乱反射された光は、第１の発光面３１０Ａおよび第２の発光面３１０Ｂから射出する。第１の発光面３１０Ａから射出された光は透過フィルム３４０を透過するが、ドット部３４２ではその光の一部が反射され、反射光の一部が反射フィルム３３０の透過部３１１を介して下向きに射出される。第２の発光面３１０Ｂから射出された光は反射フィルム３３０により反射されるが、透過部３３１では反射フィルム３３０を通過して下向きに射出される。
【００５９】
このように、第４の実施形態では、反射フィルム３３０および透過フィルム３４０を用いることにより、導光体３１０の両面側への射出光の強度を自由に制御することが可能となる。
【００６０】
反射フィルム３３０に光を実質的にすべて透過させるような透過部３３１を設ける代わりに、適当な透過率を有する領域を設けてもよい。例えば、反射フィルムに微細な孔を並べることにより任意の透過率を得ることができる。このように反射フィルムの反射率を調整することにより、透過フィルム３４０の側に照射される光の強度を制御することができる。
【００６１】
図７，図８に示す構成においても、反射フィルム３３０を介在して第１の発光面３１０Ａ側に透過型あるいは半透過型液晶表示素子等を配置させるとともに、透過フィルム３４０を介在して第２の発光面３１０Ｂ側に透過型あるいは半透過型液晶表示装置等を配置させることにより、導光体３１０および光源２３等をバックライトとして使用した液晶表示装置等を構成することができる。
【００６２】
上記実施形態において、プリズム面、ドット面および拡散面は、それぞれ請求の範囲に記載された第１の拡散面あるいは第２の拡散面に対応する。いずれの方式の拡散面を組み合わせて選択するかは任意であり、本発明は上記実施形態の構成に限定されるものではない。拡散面の構成は上記実施形態に限定されることなく、光を拡散することにより導光体の外部に光を照射するものであれば、広く拡散面として使用することができる。
【００６３】
上記実施形態において、反射フィルムおよび透過フィルムは、それぞれ請求の範囲に記載された反射部材に対応する。反射部材をいずれの面に沿って設けるかは適宜選択できるものであり、本発明は上記実施形態の構成に限定されるものではない。また、反射部材の反射率も適宜選択できる。
【００６４】
上記各実施形態では棒状あるいは線状の光源を用いているが、これらの光源は、例えば、実質的に点光源であるＬＥＤを複数配列させることにより構成することもできるし、棒状あるいは線状に発光する光源をそのまま使用することもできる。
【００６５】
また、本発明の導光体あるいは照明装置は携帯型電話への適用に限定されず、液晶表示装置等のディスプレイのためのバックライトとしての使用、発光部を発光させるための照明としての使用等に限定されることもない。
【００６６】
【発明の効果】
本発明による導光体あるいは照明装置によれば、第１の発光面および第２の発光面の間で反射することにより導かれた光は、第１の拡散面により拡散されて第１の発光面および第２の発光面を介して導光体の両面側に射出されるとともに、第２の拡散面により拡散されて第１の発光面および第２の発光面を介して導光体の両面側に射出される。したがって、１つの導光体により導光体の両側に同時に光を照射することができる。また、第１の発光面および第２の発光面からの射出光は、それぞれ第１の拡散面および第２の拡散面の両者における拡散の影響を受けるため、第１の拡散面および第２の拡散面における光の拡散をそれぞれ独立して調整することにより、第１の発光面および第２の発光面からの射出光の強さや均一性等の特性を自由に制御することが可能となる。
【図面の簡単な説明】
【図１】第１の実施形態の導光体を用いた照明装置を示す斜視図。
【図２】第１の実施形態の導光体を用いた照明装置を示す断面図。
【図３】ドット面の構成を示す図。
【図４】プリズム面と対向する位置に平滑面を設けた場合を示す断面図。
【図５】第２の実施形態の導光体を用いた照明装置を示す斜視図。
【図６】導光体を用いた照明装置を示す図であり、（ａ）は第３の実施形態の導光体を用いた照明装置の分解斜視図、（ｂ）は変形例を示す断面図。
【図７】第４の実施形態の導光体を用いた照明装置を示す図であり、（ａ）は照明装置を示す分解斜視図、（ｂ）は導光体を示す斜視図。
【図８】第４の実施形態の導光体を用いた照明装置を示す断面図。
【符号の説明】
１０，１１０，２１０，３１０  導光体
１０Ａ，１１０Ａ，２１０Ａ，３１０Ａ  第１の発光面
１０Ｂ，１１０Ｂ，２１０Ｂ，３１０Ｂ  第２の発光面
１１，１１１，２１１，３１１  ドット面（拡散面）
１２，３１２  プリズム面（拡散面）
１１３  拡散面
３３０  透過フィルム（反射部材）
３４０  反射フィルム（反射部材）
【図１】
0003773852.tif 000002
【図２】
0003773852.tif 000003
【図３】
0003773852.tif 000004
【図４】
0003773852.tif 000005
【図５】
0003773852.tif 000006
【図６】
0003773852.tif 000007
【図７】
0003773852.tif 000008
【図８】
0003773852.tif 000009